(57)【要約】      （修正有）【課題】上にある蓋体もしくは箱体を、下の箱体から容易に分離することができる、多用途収納箱を提供する。【解決手段】箱体１と、蓋体２とからなる。箱体は、外箱１１及び内箱１２の組み合わせからなり、内箱は、外箱内に固定されるとともに、外箱上部に突出した突出部が設けられる。箱体の下部には、凹状部１１２が設けられ、凹状部は、もう一つの箱体の内箱の突出部と嵌め合わせて積み重ねることができる。積み重ねた上の外箱下端と、下の外箱上端との間には距離があり、これにより、上にある箱体の下縁部を持ち上げて、下にある箱体から容易に分離することができる。また蓋体の下部にも、開口２２を設け、開口は、箱体における内箱の突出部に嵌め合わせることができる。同様に、上にある蓋体下端と、下にある外箱上端との間にも距離を設ける。【選択図】図１
0003185256.tif 000002
【実用新案登録請求の範囲】
【請求項１】
箱体からなる多用途収納箱であって、
前記箱体は、外箱及び内箱の組み合わせによってなり、
前記内箱は、前記外箱内に固定されるとともに、前記外箱上部に突出した突出部が設けられ、
前記箱体の下部には、凹状部が設けられ、
前記凹状部は、もう一つの前記箱体の内箱の突出部と嵌め合わされて積み重ねられ、
上の外箱下端と下の外箱上端との間に距離があることにより、上下の箱体が容易に分離されることを特徴とする、多用途収納箱。
【請求項２】
前記多用途収納箱には、さらに蓋体が設けられ、
前記蓋体の下部には、開口が設けられ、
前記開口は、前記箱体における内箱の突出部に嵌め合わされ、
上の前記蓋体下端と下の前記外箱上端の間に距離があることを特徴とする、請求項１に記載の多用途収納箱。
【請求項３】
前記外箱及び蓋体は、剛性材料から製造され、
前記内箱は、可撓性材料から製造されることを特徴とする、請求項２に記載の多用途収納箱。
【考案の詳細な説明】
【技術分野】
【０００１】
本考案は、小物を容れるための収納用容器に関する。
【背景技術】
【０００２】
従来の収納箱は、箱体の上部周縁に箱体の外径よりも小さい外径の凸縁が設けられ、蓋体を箱体に被せた時に凸縁に合うことにより、箱体と蓋体がずれることを防止する。収納箱の全体的な纏まりと美観を考慮して、従来の収納箱の構造は、蓋体を箱体に被せると、蓋体下端部の縁が箱体上端部の縁と完全に接触した状態になるように設計されている。しかし、蓋体を箱体上部に被せた時、蓋体の内径と箱体上部の凸縁の外径が完全に重なり合うため、蓋体の内径と凸縁の外径の間の隙間が非常に小さい、ひいては隙間がほとんどない状態になる。このような状態において、蓋体を箱体上部から外そうとする時、箱体の内部に真空効果が生じて外れにくくなるため、使い勝手が悪い。
【０００３】
また、従来の収納箱は、物品を容れるための機能しか備えておらず、垂直方向且つ上下に固定した状態で積み重ねることができないため、複数積み重ねると、崩れやすくなってしまう。
【考案の概要】
【考案が解決しようとする課題】
【０００４】
そこで、本考案は、蓋体と箱体を分離しやすいことに加え、箱体と箱体の間を固定して積み重ねることができるとともに、固定された箱体同士を分離しやすい収納箱を提供することを目的とする。
【課題を解決するための手段】
【０００５】
本考案の収納箱は、箱体上部に外径が比較的小さい突出部が設けられて、蓋体を前記突出部の外径に嵌め合わせて箱体上部に被せることができる。この時、蓋体下縁部と箱体上縁部の間には、距離が保たれる。これにより、蓋体下縁部を持ち上げて、箱体から容易に分離することができる。
【０００６】
また、本考案の収納箱は、箱体下部に凹状部が設けられて、前記凹状部をもう一つの箱体上部の突出部外径に嵌め合わせて前記箱体に被せることができる。この時、上にある箱体の下縁部と下にある箱体の上縁部の間には、距離が保たれる。これにより、上にある箱体の下縁部を持ち上げて、下にある箱体から容易に分離することができる。
【０００７】
本考案は、箱体と、蓋体とからなる。前記箱体は、外箱と内箱を有する。前記内箱は、上から前記外箱内に固定されるとともに、前記外箱上端から突出した部分が突出部を形成する。前記外箱は、その底部に凹状部が設けられ、前記凹状部の輪郭形状及び内径が前記内箱の突出部の輪郭形状及び外径と対応する。前記凹状部の深さは、前記内箱の突出部の高さよりも小さい。前記蓋体の周縁には側壁が設けられ、前記側壁に囲まれた開口が前記蓋体下部に設けられる。前記開口の深さは、前記内箱の突出部の高さよりも小さい。これにより、前記箱体は、その下部の凹状部をもう一つの箱体における内箱上端の突出部に嵌め合わせて積み重ねることができる。この時、上にある外箱下端と下にある外箱上端の間には、距離が保たれる。また、蓋体下部の開口は、箱体における内箱上端の突出部に嵌め合わせることができる。この時、上にある蓋体の下端と下にある外箱の上端に間には、距離が保たれる。よって、上にある蓋体もしくは箱体を、下にある箱体と分離しやすくなる。
【０００８】
本考案の収納箱は、その質感をより良くするため、上述の外箱及び蓋体を竹材、あるいはその他の木質の剛性材料から、また上述の内箱を可撓性材料から製造することが可能である。
【図面の簡単な説明】
【０００９】
【図１】本考案の実施例における箱体と蓋体の構造、及びその組合わせを示した分解斜視図である。
【図２】本考案の実施例において、二つの箱体を積み重ねるとともに、蓋体を外した状態を示した斜視図である。
【図３】本考案の実施例において、三つの箱体を積み重ねるとともに、蓋体を被せた状態を示した斜視図である。
【図４】本考案の実施例における箱体と蓋体の構造、及びその組み合わせを示した断面図である。
【図５】本考案の実施例において、複数の箱体を積み重ねるとともに、蓋体を被せた状態を示した断面図である。
【図６】本考案の実施例において、箱体と蓋体が円形である場合の分解斜視図である。
【図７】本考案の実施例において、円形の箱体と蓋体を組み合わせた様子を示した斜視図である。
【図８】本考案の実施例において、箱体と蓋体が長方形である場合の分解斜視図である。
【図９】本考案の実施例において、長方形の箱体と蓋体を組み合わせた様子を示した斜視図である。
【考案を実施するための形態】
【００１０】
（実施例１）
図１、図４を参照する。図は、本考案の収納箱の実施例１における箱体１と蓋体２の構造、及びその組み合わせを示している。箱体１は、外箱１１と、内箱１２を有する。内箱１２は、その外径が外箱１１の内径に対応するとともに、内側スペース１２１を有した箱体である。また内箱１２は、外箱１１内部の底面と内側壁に接着剤を塗布してから挿入されて、外箱底面及び内側壁と接着固定される。内箱１２の側壁は外箱１１の側壁よりも高いため、内箱１２が外箱１１に固定された後、内箱１２の上端が外箱１１の上端から突出して、外箱１１よりも外径が小さい突出部を形成する。加えて、外箱１１の側壁下端周縁に凸縁１１１が設けられることにより、底部に凹状部１１２が形成される。凹状部１１２の輪郭形状と内径は、内箱１２における突出部の輪郭形状と外径と対応し、凹状部１１２の深さは内箱１２の突出部の高さよりも小さい。
【００１１】
本考案の蓋体２の周縁には側壁２１が設けられ、側壁２１に囲まれた開口２２が蓋体２下部に設けられる。開口２２の深さは、内箱１２の突出部の高さよりも小さい。
【００１２】
本考案の実施例において、箱体１及び蓋体２は、特に竹材のような剛性材料、もしくは、その他の木質あるいはアルミ質の材料から製造することにより、収納箱全体に特別な質感を持たせることができる。また、箱体１及び蓋体２は、その他の適した材料で製造することも可能である。
【００１３】
前述の箱体１及び蓋体２の構造によって、使用時には、蓋体２を箱体１に被せて、蓋体２の開口２２内径を内箱１２の突出部外径に嵌め込む。また、開口２２の深さが内箱１２の突出部の高さよりも小さいため、蓋体２を箱体１に被せると、内箱１２の突出部上端が開口２２頂部に達するとともに、蓋体２下縁部と外箱１１の上縁部の間に距離Ｄ（図３、図５を参照）が保たれる。このようにして、蓋体２を箱体１から分離しようとする時、手で蓋体２の下縁部を持ち上げるだけで、簡単に箱体１から外すことができる。
【００１４】
図２、図４、図５を参照する。本考案において、箱体１を積み重ねようとする時、箱体１下部の凹状部１１２をもう一つの箱体１における内箱１２上端の突出部外径に嵌め合わせると、下にある箱体１における内箱１２の突出部上端が上にある箱体１の凹状部１１２頂面に達する。また、開口２２の深さが内箱１２の突出部の高さよりも小さいため、上下二つの箱体１を積み重ねた時に、上にある箱体１の下縁部と下にある箱体１の上縁部の間に距離が保たれる。このようにして、二つの箱体１を分離しようとする時、手で上にある箱体の下縁部を持ち上げるだけで、簡単に下にある箱体から外すことができる。
【００１５】
（実施例２、実施例３）
前述した本考案の箱体１及び蓋体２は、正方形の形体に製造されている。しかし、この種の形状に限定されるものではなく、前述の構造条件の下、箱体１及び蓋体２を円形（図６を参照）に成型し、同様に複数の箱体１を積み重ねるとともに、蓋体２を箱体１の上に被せることができる（図７参照）。この他にも、箱体１及び蓋体２は、前述の構造条件の下、長方形の形体（図８参照）に成型し、同様に複数の箱体１を積み重ねるとともに、蓋体２を箱体１の上に被せることができる（図９参照）。
【符号の説明】
【００１６】
１            箱体
１１   外箱
１１１ 凸縁
１１２ 凹状部
１２   内箱
１２１ 内側スペース
２            蓋体
２１   側壁
２２   開口
Ｄ            距離
【図１】
0003185256.tif 000003
【図２】
0003185256.tif 000004
【図３】
0003185256.tif 000005
【図４】
0003185256.tif 000006
【図５】
0003185256.tif 000007
【図６】
0003185256.tif 000008
【図７】
0003185256.tif 000009
【図８】
0003185256.tif 000010
【図９】
0003185256.tif 000011